(57)【要約】      （修正有）【課題】踏台の使用に際し、安全性の問題を解消し、また、収納性を良好にする踏台を提供する。【解決手段】踏台は、１つの長支柱11および第１〜第３短支柱２１〜２３を備えている。長支柱１１および第１短支柱２１が左右に互いに間隔をおいて並べられて、前支持脚３１を構成している。第２および第３短支柱２２、２３が左右に互いに間隔をおいて並べられて、後支持脚３２を構成している。前支持脚３１および後支持脚３２を開閉しうるように、第２短支柱２２の上端レベルに一致する、長支柱１１の長さの中間および第２短支柱２２の上端同士が左ヒンジ４１によって、第１短支柱２１の上端および第３短支柱２３の上端同士が右ヒンジ４２によってそれぞれ連結されている。【選択図】図３
0003167854.tif 000002
【実用新案登録請求の範囲】
【請求項１】
１つの長支柱および第１〜第３短支柱を備えており、長支柱および第１短支柱が左右に互いに間隔をおいて並べられて、前支持脚を構成しており、第２および第３短支柱が左右に互いに間隔をおいて並べられて、後支持脚を構成しており、前支持脚および後支持脚を開閉しうるように、第２短支柱の上端レベルに一致する、長支柱の長さの中間および第２短支柱の上端同士が左ヒンジによって、第１短支柱の上端および第３短支柱の上端同士が右ヒンジによってそれぞれ連結されている踏台。
【請求項２】
長支柱および第１短支柱に、左右のヒンジより低レベルに位置させられた天板の前縁部が渡されている請求項１に記載の踏台。
【請求項３】
前支持脚および後支持脚が閉じられた状態で、前支持脚および後支持脚間に天板を収容しうるように天板が起伏自在となされている請求項２に記載の踏台。
【請求項４】
長支柱の上端部に掴み用キャップがはめ被せられている請求項１〜３のいずれか１つに記載の踏台。
【考案の詳細な説明】
【技術分野】
【０００１】
この考案は、高所作業に際し、作業員が上がり下りするようにして用いられる踏台に関する。
【背景技術】
【０００２】
この種の踏台としては、前後一対の支持脚上端に天板が渡されているものが知られている。
【０００３】
この踏台では、天板の上方に、作業員の手掛かりになるようなものは何もない。したがって、踏台に上がり下りする作業員にとっては、安全性の面で不安がある。
【０００４】
他の踏台として、前後一対の支持脚のうち、前支持脚の高さが後支持脚の高さよりも高く形成させており、後支持脚の上端レベルに一致する、高さの中間および後支持脚の上端に天板が渡されているものが知られている。
【０００５】
この他の踏台では、前後支持脚の高さの分だけ、前支持脚が天板の上方に突き出ている。前支持脚のその突き出ている部分が、作業員の手掛かりになるため、安全上の不安は解消される。一方、踏台を収納する場合、前支持脚の突き出ている部分が邪魔になり、コンパクトに踏台を収納することができない、という問題点がある。
【考案の概要】
【考案が解決しようとする課題】
【０００６】
この考案の目的は、安全性および収納性の問題を解消することのできる踏台を提供することにある。
【課題を解決するための手段】
【０００７】
この考案による踏台は、１つの長支柱および第１〜第３短支柱を備えており、長支柱および第１短支柱が左右に互いに間隔をおいて並べられて、前支持脚を構成しており、第２および第３短支柱が左右に互いに間隔をおいて並べられて、後支持脚を構成しており、前支持脚および後支持脚を開閉しうるように、第２短支柱の上端レベルに一致する、長支柱の長さの中間および第２短支柱の上端同士が左ヒンジによって、第１短支柱の上端および第３短支柱の上端同士が右ヒンジによってそれぞれ連結されているものである。
【０００８】
この考案による踏台では、１つの長支柱および第１〜第３短支柱のうち、短支柱よりも長い、長支柱の上部だけが短支柱より上方に突き出ている。踏台に作業員が上がり下りする際に、長支柱のその上方に突き出ている部分を、手掛かり棒のように利用することができるため、安全性の面で不安を解消できる。さらに、長支柱の上部だけが３つの短支柱の上方に突き出しているだけであるから、収納時に、その突き出している部分が邪魔にならない。
【０００９】
さらに、長支柱および第１短支柱に、左右のヒンジより天板の幅だけ低レベルに位置させられた天板の前縁部が渡されていると、長支柱および３つの短支柱の天板上方に突き出す部分を最小限に抑えることができる。
【００１０】
また、前支持脚および後支持脚が閉じられた状態で、前支持脚および後支持脚間に天板を収容しうるように天板が起伏自在となされていると、踏台をコンパクトに収納することができる。
【００１１】
また、長支柱の上端部に掴み用キャップが嵌め被せられていると、長支柱の上部を手掛かり棒のように利用する際に、長支柱を掴み易くすることがてきる。
【考案の効果】
【００１２】
この考案によれば、安全性および収納性の問題を解消することのできる踏台が提供される。
【図面の簡単な説明】
【００１３】
【図１】この考案による踏台の使用時の斜視図である。
【図２】この考案による踏台の収納時の斜視図である。
【図３】図２を背面から見た斜視図である。
【考案を実施するための形態】
【００１４】
使用時の踏台が図１に、収納時の踏台が図２にそれぞれ示されている。以下の説明において、前後とは、図１を基準として、図１に矢印Aで示す側を前、これと反対側を後といい、左右とは、前方から見て、その左右の側を左右というものとする。
【００１５】
踏台は、１つの長支柱11および第１〜第３短支柱21、22、23を備えている。長支柱11および第１短支柱21が左右に互いに間隔をおいて並べられて、前支持脚31を構成している。第２および第３短支柱22、23が左右に互いに間隔をおいて並べられて後支持脚32を構成している。
【００１６】
第２短支柱22の上端レベルに一致する、長支柱11の長さの中間および第２短支柱22の上端同士が左ヒンジ41によって連結されている。第１短支柱21の上端および第３短支柱23の上端同士が右ヒンジ42によって連結されている。
【００１７】
前支持脚31および後支持脚32は、開閉自在である。踏台の使用時には、前支持脚31および後支持脚32は開かれ、踏台の収納時には、前支持脚31および後支持脚32は閉じられるようになっている。
【００１８】
長支柱11の上部は、左ヒンジ41より上方に突出させられている。その上方突出部には、プラスチック製掴み用キャップ43がはめ被せ状に固定されている。
【００１９】
長支柱11および第１短支柱21の左右ヒンジ41、42下方には、前天桟51、上段踏桟52および下段踏桟53が上から順次固定状に渡し止められている。
【００２０】
前天桟51には方形板状天板61の前縁部が前天桟51軸線周りに揺動自在に支持されている。天板61の左右両側壁後端寄りの部分には一対のロック溝62が形成されている。
【００２１】
第２および第３短支柱22、23には、後天桟71が前天桟51と同レベルのところに固定状に渡し止められている。第２および第３短支柱22、23の下端近くには連結桟72が固定状に渡し止められている。
【００２２】
天板61および後天桟71は、これらの相対的揺動を自在とするように左右一対の開止バー81によって接続されている。
【００２３】
踏台の使用状態では、後天桟71およびロック溝62がはめ合わされ、これにより、天板61は水平姿勢に保持可能となっている。
【００２４】
前支持脚31および後支持脚32の開閉時に、後支持脚32の移動が開止バー81によって天板61に伝達され、後支持脚32の移動に連動して天板61が起伏しうるようになっている。
【００２５】
左右のヒンジ41、42から、前天桟51および後天桟71までの距離は、天板61の幅とほぼ等しく設定されている。これにより、踏台の収納時には、前支持脚31および後支持脚32間に天板61が収容されるようになっている。
【産業上の利用可能性】
【００２６】
この考案による踏台は、高所作業に際し、作業員が上がり下りするようにして用いられ、安全性の問題を解消することを達成するのに適している。
【符号の説明】
【００２７】
11  長支柱
21  第１短支柱
22  第２短支柱
23  第３短支柱
31  前支持脚
32  後支持脚
41  左ヒンジ
42  右ヒンジ
【図１】
0003167854.tif 000003
【図２】
0003167854.tif 000004
【図３】
0003167854.tif 000005